(57)【要約】【課題】イカ釣り用糸巻器に形成した隙間を利用して、最初に設定した海底近くまでのイカ釣り用糸の長さを一定に維持して、同じ水深でのその後のイカ釣り作業を容易にすることのできるイカ釣り用糸巻器を提供する。【解決手段】イカ釣り用糸巻器１の一対の側桁１１の両側にこれを挟むようにして略直角に取り付けられその外周側にイカ釣り用糸が巻き付けられる各一対の糸巻き胴桁１２と上記側桁１１との間に、中間部位のイカ釣り用糸が通過できる隙間１２ａを形成すると共に、各一対の糸巻き胴桁１２の間に当該隙間１２ａの間隔を維持する隙間調節摘み１３を設け、この隙間１２ａを通じて中間部位のイカ釣り用糸をイカ釣り用糸巻器１の内側に対し出入自在とした。【選択図】        図１
0003132915.tif 000002
【実用新案登録請求の範囲】
【請求項１】
装置本体に取り付けられて回転してイカ釣り用糸を巻き取ったり巻き戻したりするイカ釣り用糸巻器において、イカ釣り用糸巻器の間隔をあけて並設された一対の側桁の両側にこれを挟むようにして略直角に取り付けられその外周側にイカ釣り用糸が巻き付けられる各一対の糸巻き胴桁と上記側桁との間に、中間部位のイカ釣り用糸が通過できる隙間を形成し、この隙間を通じて中間部位のイカ釣り用糸をイカ釣り用糸巻器の内側に対し出入自在としたことを特徴とするイカ釣り用糸巻器。
【請求項２】
装置本体に取り付けられて回転してイカ釣り用糸を巻き取ったり巻き戻したりするイカ釣り用糸巻器において、イカ釣り用糸巻器の間隔をあけて並設された一対の側桁の両側にこれを挟むようにして略直角に取り付けられその外周側にイカ釣り用糸が巻き付けられる各一対の糸巻き胴桁と上記側桁との間に、中間部位のイカ釣り用糸が通過できる隙間を形成すると共に、各一対の糸巻き胴桁の間に当該隙間の間隔を維持する隙間調節摘みを設け、この隙間を通じて中間部位のイカ釣り用糸をイカ釣り用糸巻器の内側に対し出入自在としたことを特徴とするイカ釣り用糸巻器。
【考案の詳細な説明】
【技術分野】
【０００１】
この考案は、装置本体に取り付けられて回転してイカ釣り用糸を巻き取ったり巻き戻したりするイカ釣り用糸巻器に係り、特に、イカ釣り用糸巻器に形成した隙間を利用して、最初に設定した海底近くまでのイカ釣り用糸の長さを一定に維持して、同じ水深でのその後のイカ釣り作業を容易にするイカ釣り用糸巻器に関するものである。
【背景技術】
【０００２】
イカ釣り作業にあっては、先端側まで針を付けたイカ釣り用糸を海底近くまで下ろし、その後に引き上げることで、引き上げ中の針にイカを引っ掛けて釣り上げる。この作業を何度も繰り返す。この場合、イカ釣り用糸の針が海底に触れると海底に引っ掛かって切れるのでこれを避ける必要がある。
【特許文献１】特開昭５８−２０５４４３
【特許文献２】特開昭６０−０９８９２６
【考案の開示】
【考案が解決しようとする課題】
【０００３】
しかしながら、イカ釣り用糸を海中に下ろす度にその長さを船上で調整するのは非常に面倒であり、イカ釣り作業の効率の低下を招くと共に、イカ釣り用糸の針が海底に触れて切れることによる釣り糸及び釣り針の損失、また釣り針を再び釣り糸に付ける作業の手間は非常に大変であった。
【０００４】
この考案は、上記のような課題に鑑み、その課題を解決すべく創案されたものであって、その目的とするところは、イカ釣り用糸巻器に形成した隙間を利用して、最初に設定した海底近くまでのイカ釣り用糸の長さを一定に維持して、同じ水深でのその後のイカ釣り作業を容易にすることのできるイカ釣り用糸巻器を提供することにある。
【課題を解決するための手段】
【０００５】
以上の目的を達成するために、請求項１の考案は、装置本体に取り付けられて回転してイカ釣り用糸を巻き取ったり巻き戻したりするイカ釣り用糸巻器において、イカ釣り用糸巻器の間隔をあけて並設された一対の側桁の両側にこれを挟むようにして略直角に取り付けられその外周側にイカ釣り用糸が巻き付けられる各一対の糸巻き胴桁と上記側桁との間に、中間部位のイカ釣り用糸が通過できる隙間を形成し、この隙間を通じて中間部位のイカ釣り用糸をイカ釣り用糸巻器の内側に対し出入自在とした手段よりなるものである。
【０００６】
また、請求項２の考案は、装置本体に取り付けられて回転してイカ釣り用糸を巻き取ったり巻き戻したりするイカ釣り用糸巻器において、イカ釣り用糸巻器の間隔をあけて並設された一対の側桁の両側にこれを挟むようにして略直角に取り付けられその外周側にイカ釣り用糸が巻き付けられる各一対の糸巻き胴桁と上記側桁との間に、中間部位のイカ釣り用糸が通過できる隙間を形成すると共に、各一対の糸巻き胴桁の間に当該隙間の間隔を維持する隙間調節摘みを設け、この隙間を通じて中間部位のイカ釣り用糸をイカ釣り用糸巻器の内側に対し出入自在とした手段よりなるものである。
【考案の効果】
【０００７】
以上の記載より明らかなように、請求項１及び請求項２の考案に係るイカ釣り用糸巻器によれば、イカ釣り用糸の先端側を海底近くに下ろし、イカ釣り用糸巻器側にあるイカ釣り用糸をイカ釣り用糸巻器の隙間を挿通させて、イカ釣り用糸巻器の内側に入れることにより、イカ釣り用糸を引っ張ってもイカ釣り用糸巻器が巻き戻す方向に回転するのを阻止することができ、これにより、海底近くまで下ろしたイカ釣り用糸の先端側がそれ以上海底側に下りることがない。このようにして、海底近くまで下ろしたイカ釣り用糸の長さを最初に調整しておくのみで、その後は一定に維持することが可能となるので、その後のイカ釣り用糸の長さの調整が不要となり、同じ水深箇所でのイカ釣り作業を容易にすることができる。
【０００８】
また、請求項２の考案に係るイカ釣り用糸巻器によれば、前記の効果に加えて、イカ釣り作業を繰り返すうちに、イカ釣り用糸巻器への巻き付け力によって隙間を有する糸巻き胴桁には、その隙間を小さくするような力が働くことが考えられるが、隙間調節摘みによってイカ釣り用糸が通過できない程に隙間が狭くなるのを確実に防ぐことができる。これにより、その後、水深が変わり、イカ釣り用糸の長さを変更しなければならない事態になっても、イカ釣り用糸が通過できる隙間が隙間調節摘みによって常に維持されるので、イカ釣り用糸巻器に形成した隙間を利用してイカ釣り用糸の海底近くまでの長さを調整することができる等、極めて実用的有益なる効果を奏するものである。
【考案を実施するための最良の形態】
【０００９】
以下、図面に記載の考案を実施するための最良の形態に基づいて、この考案をより具体的に説明する。
ここで、図１はイカ釣り用糸巻器を取り付けた装置本体の斜視図、図２はイカ釣り用糸巻器の斜視図、図３はイカ釣り用糸巻器の正面図、図４はイカ釣り用糸巻器の端部側面図、図５はイカ釣り用糸巻器を取り付けた装置本体の正面図、図６はイカ釣り用糸巻器を取り付けた装置本体の側面図、図７はイカ釣り用糸巻器を取り付けた装置本体の平面図、図８はイカ釣り用糸巻器を取り付けた装置本体の凹型ストッパーが開いた時の平面図である。
【００１０】
図において、イカ釣り用糸巻器１は、装置本体２に取り付けられて回転して海底に向けて下ろしたイカ釣り用糸ａを巻き取ったり巻き戻したりする器具で、特に最初に設定した海底近くにまでのイカ釣り用糸ａの長さを一定に維持して、その取り扱いを容易にすることができる特徴を有している。
【００１１】
イカ釣り用糸巻器１は、間隔をあけて並設された一対の側桁１１、一対の側桁１１の両側にこれに略直角方向に取り付けられた一対の糸巻き胴桁１２、各糸巻き胴桁１２と側桁１１との隙間１２ａを調節する隙間調節摘み１３、外側に位置する側の側桁１１に取り付けられたハンドル１４などから構成されている。
【００１２】
一対の側桁１１はその長さ方向がイカ釣り用糸巻器１が回転する場合の直径方向となる。間隔をあけて平行に並設された一対の側桁１１は、それぞれ例えば矩形状の板材が使用されていて、長さ方向の両端側の内側が先端に向かって拡開するように斜めに傾斜して形成されていて、巻き取るイカ釣り用糸ａが一対の側桁１１の間の糸巻き胴桁１２の間に巻き取られ易いようになっている。
【００１３】
回転する場合の直径方向となる一対の側桁１１の各中央には、後記の装置本体２の回転中心軸２４が挿通する回転中心孔１１ａがそれぞれ形成されている。イカ釣り用糸巻器１は、この一対の側桁１１の回転中心孔１１ａに後記の回転中心軸２４が挿通することで、回転中心軸２４を中心として回転することができる。
【００１４】
間隔をあけて平行に並設された一対の側桁１１の長さ方向の両側には、これを両側から挟むようにして板状の糸巻き胴桁１２が合計で４本それぞれ略直角に取り付けられている。つまり一対の側桁１１はその両側が板状の糸巻き胴桁１２によって挟まれるような状態で連結されている。
【００１５】
一対の側桁１１の長さ方向の両側に間隔をあけて略直角に取り付けられた一対の糸巻き胴桁１２は、イカ釣り用糸ａが巻かれる箇所で、一対の側桁１１の長さ方向の両側の合計４箇所の糸巻き胴桁１２の外周側にイカ釣り用糸ａが長方形状に巻かれる。つまりイカ釣り用糸ａは側桁１１の長さ方向の両側の間を略長方形状に巻かれる。
【００１６】
一対の側桁１１の一端部側を４箇所で外側から挟むように取り付けられる糸巻き胴桁１２は、そのうちの３箇所は密着して固定的に連結されているが、１箇所は側桁１１との糸巻き胴桁１２との間にイカ釣り用糸ａが通過できる程度の隙間１２ａが形成されて非密着の非連結になっている。
【００１７】
これにより、この隙間１２ａを利用して両側の糸巻き胴桁１２同士の間を何重にも巻かれるイカ釣り用糸ａの中間部位を、一対の側桁１１とその両側にそれぞれ取り付けられた糸巻き胴桁１２とで形成されるイカ釣り用糸巻器１の内側に挿入させることが可能となる。そして、中間部位のイカ釣り用糸ａをこのイカ釣り用糸巻器１の内側に入れることで、両側の糸巻き胴桁１２の間に巻かれているイカ釣り用糸ａの巻き戻しを停止させることが可能となる。また、イカ釣り用糸巻器１の内側から隙間１２ａを通じて中間部位のイカ釣り用糸ａを取り出すことにより、イカ釣り用糸ａの巻き戻し停止を解除することができる。
【００１８】
一対の側桁１１の一端部側を４箇所で外側から挟むように取り付けられる糸巻き胴桁１２は、そのうちの３箇所は密着して固定的に連結されているが、密着して連結された糸巻き胴桁１２の端部の３箇所は側桁１１の側面から突出しない長さになっている。これに対して、隙間１２ａが形成されて非密着の非連結になっている残りの１箇所の糸巻き胴桁１２の端部は、側桁１１の側面から一部突出する長さになっていて、突出する部分を利用して隙間１２ａにイカ釣り用糸ａを誘導案内できる構造になっている。
【００１９】
隙間１２ａを形成するように取り付けられた糸巻き胴桁１２は、両端側が連結されずに一端側のみが側桁１１に連結されることになり、イカ釣り用糸ａを何重にも巻き付けた場合にはその巻き付け力で連結された一端側を中心にして非連結側が側桁１１の他方の端部側に向けて変形して側桁１１の両側の糸巻き胴桁１２の間隔を狭めて、両側の糸巻き胴桁１２の間に巻き取られているイカ釣り用糸ａが弛んで最悪の場合にはイカ釣り用糸巻器１から外れることもある。
【００２０】
このため、一端側のみが側桁１１に連結された糸巻き胴桁１２の連結側には糸巻き胴桁１２が変形するのを防ぐ補強板１２ｂが取り付けられている。補強板１２ｂは側桁１１に固定されている。一端側のみが側桁１１に連結された糸巻き胴桁１２の連結側は、この固定された補強板１２ｂに当たることによって、非連結側が変形するのを防いでいる。
【００２１】
一対の側桁１１の各端部側の両外側から３箇所は密着して連結し、残りの１箇所をイカ釣り用糸ａが通過できる隙間１２ａを形成して非連結に挟むように取り付けられた一対の糸巻き胴桁１２の間には、イカ釣り用糸ａが通過できる隙間１２ａを維持するための隙間調節摘み１３が設けられている。
【００２２】
隙間調節摘み１３は、その両端が一対の糸巻き胴桁１２の向かい合う内面側に軸回りに回すことができるよう取り付けられていて、これを一方向に回すと一対の糸巻き胴桁１２の間隔を広げてその隙間１２ａを大きくでき、逆方向に回すことで一対の糸巻き胴桁１２の間隔を狭めてその隙間１２ａを小さくできる。特に、糸巻き胴桁１２同士の間に何重にもイカ釣り用糸ａを巻き付けると、イカ釣り用糸ａの巻き付け力で隙間１２ａは一般に小さくなるが、この隙間調節摘み１３によってイカ釣り用糸ａが通過できる隙間１２ａを維持することが可能となる。
【００２３】
イカ釣り用糸巻器１を後記の回転中心軸２４に取り付けたときに外側になる側桁１１の外側面には、回転中心軸２４を中心にイカ釣り用糸巻器１を回転させるためのハンドル１４が軸回りに回転自在に取り付けられている。ハンドル１４は回転中心軸２４より少し離れた箇所に、外方に向けて突出するように取り付けられている。このハンドル１４を手で掴んで回して回転中心軸２４を中心にイカ釣り用糸巻器１を回転させることで、簡単にイカ釣り用糸ａを巻き取ったり巻き戻したりすることができる。
【００２４】
イカ釣り用糸巻器１が水平軸回りに回転自在に取り付けられる装置本体２は、底盤２１と底盤２１の一側端面から上向きに取り付けられた支柱２２、及び支柱２２に高さ調節自体に取り付けられる上部支柱２３、上部支柱２３に取り付けられた回転中心軸２４、イカ釣り用糸巻器１の回転を止める凹型ストッパー２５などから構成されている。
【００２５】
底盤２１は、装置本体２が簡単に転倒しない安定性を有するように、底面が平らになっていて、上から見て長方形状になっている。底盤２１の上面側の一側端側には支柱２２を一体的に取り付けるための矩形状の取付板２１ａが設けられている。取付板２１ａの中央には支柱２２の下部と取り付けるための図示しない取付孔が形成されており、その取付孔には支柱の下部と連結するための連結ボルト２１ｂが挿入して取り付けられている。
【００２６】
支柱２２の下部側は底盤２１の一側端面に取り付けられて連結されるように横幅になっている。支柱２２には前面から後面に向けてそれぞれ上下方向に一定間隔で取り付け用の前後孔２２ａが複数形成されている。また、支柱２２の上部側には左右幅方向に向けて図示しない側部孔が形成されている。
【００２７】
支柱２２の上部側には高さ調節自在に上部支柱２３が取り付けられている。上部支柱２３は支柱２２の左右両側面を挟むようにして取り付けられる。このため、上部支柱２３には支柱２２の左右側面側に密着して取り付けられる２本の縦桁２３ａが左右平行に取り付けられている。即ち、上部支柱２３の平行に取り付けられた２本の縦桁２３ａの間に支柱２２が入るように、支柱２２の幅間隔をあけて縦桁２３ａが上下向きに並設されている。
【００２８】
左右の縦桁２３ａにはそれぞれ互いに向き合う方向に向けて取り付け用の連結孔２３ｂが上下方向に一定間隔で複数形成されている。支柱２２の上部の側面側に左右幅方向に向けて形成された上記側部孔と左右の縦桁２３ａの連結孔２３ｂとを貫通して連結する側部連結ボルト２３ｃが取り付けられている。
【００２９】
並設された左右の縦桁２３ａの下部側には下部横桁２３ｄがその前後側に支柱２２の厚み間隔をあけて並設されている。支柱２２は左右の縦桁２３ａと前後側に配置された下部横桁２３ｄによって左右及び前後が挟まれるようになっている。下部横桁２３ｄの中央には支柱２２に設けられた前後孔２２ａに貫通するための取り付け用の図示しない連結孔が形成され、この連結孔と前後孔２２ａを貫通する前後連結ボルト２３ｅが貫通して取り付けられている。
【００３０】
上部支柱２３の上部中央には円筒形の回転中心軸２４が取り付けられている。回転中心軸２４は回転するイカ釣り用糸巻器１の回転中心となる部分で、回転中心軸２４は左右の縦桁２３ａの上部間に配置された取付板２４ａの中央に底盤２１側に向けて水平に張り出して取り付けられている。
【００３１】
取付板２４ａに取り付けられる回転中心軸２４の根本側には、回転中心軸２４で回転するイカ釣り用糸巻器１が上部支柱２３と接触しないように一定の隙間をあけるための厚みのあるリング２４ｂが装着されている。また、イカ釣り用糸巻器１を取り付けた回転中心軸２４の先端側には、イカ釣り用糸巻器１が外れないように係止リング２４ｃが装着されている。
【００３２】
上部支柱２３には凹型ストッパー２５が取り付けられている。凹型ストッパー２５は凹型の内側に回転軌跡内のイカ釣り用糸巻器１の一部を入れて、凹型の両側の何れかにイカ釣り用糸巻器１の一部が当たることにより、イカ釣り用糸巻器１が回転中心軸２４を中心に回転するのを阻止する機能を果たす。
【００３３】
凹型ストッパー２５は蝶番２５ａにより上部支柱２３の上端に取り付けられており、この蝶番２５ａを支点として後ろ側に反転するようになっている。そして、凹型ストッパー２５は蝶番２５ａで後ろ側に反転することで、イカ釣り用糸巻器１の回転軌跡の外側に出て、イカ釣り用糸巻器１の回転阻止を解除する構造になっている。
【００３４】
次に、上記考案を実施するための最良の形態の構成に基づくイカ釣り用糸巻器の使用方法について以下説明する。
イカ釣り用糸巻器１の側桁１１の回転中心孔１１ａを装置本体２の回転中心軸２４に嵌め込み、側桁１１の回転中心孔１１ａから突出する回転中心軸２４の先端側に係止リング２４ｃを取り付けて、イカ釣り用糸巻器１を装置本体２の回転中心軸２４に回転自在に装着する。
【００３５】
このようにして、装置本体２に装着したイカ釣り用糸巻器１にイカ釣り用糸ａを何重にも巻き付けた後、先端側に釣り針を付けたイカ釣り用糸ａを海底に向けて下ろす。イカ釣り用糸ａの先端側を海底近くに下ろした時点で、中間部位となるイカ釣り用糸巻器１側にあるイカ釣り用糸ａをイカ釣り用糸巻器１の隙間１２ａを挿通させて、イカ釣り用糸巻器１の内側に入れる。
【００３６】
中間部位のイカ釣り用糸ａをイカ釣り用糸巻器１の内側に入れることにより、イカ釣り用糸巻器１側のイカ釣り用糸ａの一箇所が糸巻き胴桁１２の間で略長方形状に巻き付けられないことになり、イカ釣り用糸ａを引っ張ってもイカ釣り用糸巻器１は巻き戻す方向に回転しなくなる。つまりそれ以上、イカ釣り用糸ａはイカ釣り用糸巻器１から引き出せないことになる。
【００３７】
これにより、海底近くまで下ろしたイカ釣り用糸ａの先端側はそれ以上海底側に下りることがない。巻き取る場合には、イカ釣り用糸巻器１を巻き取る方向に回すのみで、イカ釣り用糸巻器１に海底近くまで下ろしたイカ釣り用糸ａを巻き取ることができる。このようにして、海底近くまで下ろしたイカ釣り用糸ａの長さを最初に調整しておくのみで、その後は一定に維持することが可能となるので、その後のイカ釣り用糸ａの長さの調整が不要となり、同じ水深箇所でのイカ釣り作業が容易となる。
【００３８】
イカ釣り作業を繰り返すうちに、イカ釣り用糸巻器１への巻き付け力によって隙間１２ａを有する糸巻き胴桁１２には、その隙間１２ａを小さくするような力が働くことが考えられるが、隙間調節摘み１３によってイカ釣り用糸ａが通過できない程に隙間１２ａが狭くなるのを確実に防ぐことができる。
【００３９】
このため、その後、水深が変わり、イカ釣り用糸ａの長さを変更しなければならない事態になっても、イカ釣り用糸ａが通過できる隙間１２ａが隙間調節摘み１３によって維持されているので、隙間１２ａを利用してイカ釣り用糸ａの海底近くまでの長さを調整することが可能となる。
【００４０】
なお、この考案は上記考案を実施するための最良の形態に限定されるものではなく、この考案の精神を逸脱しない範囲で種々の改変をなし得ることは勿論である。
【図面の簡単な説明】
【００４１】
【図１】この考案を実施するための最良の形態を示すイカ釣り用糸巻器を取り付けた装置本体の斜視図である。
【図２】この考案を実施するための最良の形態を示すイカ釣り用糸巻器の斜視図である。
【図３】この考案を実施するための最良の形態を示すイカ釣り用糸巻器の正面図である。
【図４】この考案を実施するための最良の形態を示すイカ釣り用糸巻器の端部側面図である。
【図５】この考案を実施するための最良の形態を示すイカ釣り用糸巻器を取り付けた装置本体の正面図である。
【図６】この考案を実施するための最良の形態を示すイカ釣り用糸巻器を取り付けた装置本体の側面図である。
【図７】この考案を実施するための最良の形態を示すイカ釣り用糸巻器を取り付けた装置本体の平面図である。
【図８】この考案を実施するための最良の形態を示すイカ釣り用糸巻器を取り付けた装置本体の凹型ストッパーが開いた時の平面図である。
【符号の説明】
【００４２】
１    イカ釣り用糸巻器
１１    側桁
１１ａ  回転中心孔
１２    糸巻き胴桁
１２ａ  隙間
１２ｂ  補強板
１３    隙間調節摘み
１４    ハンドル
２    装置本体
２１    底盤
２１ａ  取付板
２１ｂ  連結ボルト
２２    支柱
２２ａ  前後孔
２３    上部支柱
２３ａ  縦桁
２３ｂ  連結孔
２３ｃ  側部連結ボルト
２３ｄ  下部横桁
２３ｅ  前後連結ボルト
２４    回転中心軸
２４ａ  取付板
２４ｂ  リング
２４ｃ  係止リング
２５    凹型ストッパー
２５ａ  蝶番
【図１】
0003132915.tif 000003
【図２】
0003132915.tif 000004
【図３】
0003132915.tif 000005
【図４】
0003132915.tif 000006
【図５】
0003132915.tif 000007
【図６】
0003132915.tif 000008
【図７】
0003132915.tif 000009
【図８】
0003132915.tif 000010